(57)【要約】【課題】マーク文字列および差し替え文字列の差し替えと、原稿画像全体のレイアウト補正とを同時に行い、差し替え先の文章によらず、利用者が所望の画像を得られる画像処理複合機を提供する。【解決手段】予め紙原稿に編集したい箇所をマーキングしたものを読み取り、読取制御部２で電子化を行なう。ＯＣＲ制御部６で識別した文字列の情報と、マーク識別部４で検出したマークの位置、範囲情報との結果から、マーク箇所の文字列を特定する。差し替えたい文字列を書いた差し替え指定原稿を読取制御部２において電子化し、メモリ３に蓄積する。ＯＣＲ制御部６は、電子化された画像から、差し替え文字列を識別する。再構成制御部７は、ユーザが所望するレイアウトとなるように、レイアウト補正を同時に行いながら、マーク文字列を差し替え文字列で置き換える。【選択図】図１
2009017041.tif 000002
【特許請求の範囲】
【請求項１】
原稿を読み取って電子化する読取手段と、
電子化された画像データを印刷する印刷手段と、
前記画像データから文字を認識するための文字認識手段と、
マーキングされた範囲を特定する検出手段と、
マーク文字列および差し替え文字列の差し替えと、原稿画像全体のレイアウト補正とを同時に行う再構成制御手段とを有することを特徴とする画像処理複合機。
【請求項２】
前記レイアウト補正は、
余白部分を前詰めして余白の無い状態にする処理と、
上書き部分の文字を後ろにずらす処理と、
改ページして複数枚に分割する処理と、
原稿上の文字全ての文字サイズを縮小する処理とを含むことを特徴とする請求項１に記載の画像処理複合機。
【請求項３】
検出した前記マーク文字列の範囲の表示および前記再構成制御手段で編集を実行する内容を確認表示する表示手段と、
前記表示手段は、
前記マーク文字列と同一文字列でマーキングされていない文字列があった際に、その旨を表示し、
前記入力手段は、
前記表示後、マーキングされていない文字列について、前記差し替えを実施するか否かを選択可能とすることを特徴とする請求項１または２に記載の画像処理複合機。
【請求項４】
前記レイアウト補正は、
専用フォーマットを用いる処理と、
差し替え実行部分に、色分けを施す処理と、
前記入力手段で前記レイアウト補正の対象範囲を指定した編集内容を実行する処理と、
差し替え実行部分および差し替え内容についてリスト化し、差し替え結果レポートを作成する処理とを含むことを特徴とする請求項３に記載の画像処理複合機。
【発明の詳細な説明】
【技術分野】
【０００１】
本発明は、原稿に予めマーキングされた文字列を、所望の文字列に差し替えて印刷出力する画像処理複合機に関する。
【背景技術】
【０００２】
ある紙文書を編集したいとき、その電子文書が存在するならばワードプロセッサ等を用いて容易に内容を変更することができるが、電子文書が存在しない場合には困難である。
【０００３】
こうした場合に対応するものとして、予め編集したい部分をマーキングしておいた紙文書をスキャナ装置で読み取って、その部分を編集した結果を再度印刷する技術がいくつか提案されている。
【０００４】
たとえば、特許文献１や特許文献２のような発明では、マーカーで指定した範囲の文章を黒塗りしたり、別の文書で指定した範囲の文章と置き換えることができる。
【０００５】
また、特許文献３では、マーカーで指定した範囲の文章を、そのマーカーに関連付けて同じ文書内に記述した文章と置き換えることができる。
【０００６】
さらに、特許文献４では、マーカーで指定した範囲の文章と、別に作成した文章とを差し替え、差し替え後に画像処理を施す技術が開示されている。
【特許文献１】特開２００５−２３６８４３号公報
【特許文献２】特開平５−１１０８２０号公報
【特許文献３】特開２００６−２７０４４６号公報
【特許文献４】特開２００５−３２３３０５号公報
【発明の開示】
【発明が解決しようとする課題】
【０００７】
しかしながら、従来では、特定の矩形範囲を差し替える技術が開示されているが、差し替え先の文章によって、不自然な空白ができてしまうおそれがある。
【０００８】
特許文献１から３では、差し替えを実行する際に、原稿画像全体をレイアウト補正することに関しては記載がない。また、これによる効果は、示唆されていない。
【０００９】
特許文献４では、差し替え先の文章によって、不自然な空白ができてしまうことに関して、差し替え対象と、差し替え要素の両方に文字認識処理を施し、差し替えを実行することで、差し替えを実行した領域においては、所望の画像を提供できるが、差し替え実行した後の原稿画像全体を見た時にユーザが希望する画像を得られない可能性がある。
【００１０】
そこで本発明では、マーク文字列および差し替え文字列の差し替えと、原稿画像全体のレイアウト補正とを同時に行う画像処理複合機を提供することを目的とする。
【課題を解決するための手段】
【００１１】
上記の目的を達成するため、請求項１に記載の発明は、原稿を読み取って電子化する読取手段と、電子化された画像データを印刷する印刷手段と、前記画像データから文字を認識するための文字認識手段と、マーキングされた範囲を特定する検出手段と、マーク文字列および差し替え文字列の差し替えと、原稿画像全体のレイアウト補正とを同時に行う再構成制御手段とを有する画像処理複合機であることを特徴とする。
【００１２】
請求項２に記載の発明は、請求項１に記載の画像処理複合機において、前記レイアウト補正は、余白部分を前詰めして余白の無い状態にする処理と、上書き部分の文字を後ろにずらす処理と、改ページして複数枚に分割する処理と、原稿上の文字全ての文字サイズを縮小する処理とを含むことを特徴とする。
【００１３】
請求項３に記載の発明は、請求項１または２に記載の画像処理複合機において、検出した前記マーク文字列の範囲の表示および前記再構成制御手段で編集を実行する内容を確認表示する表示手段と、前記表示手段は、前記マーク文字列と同一文字列でマーキングされていない文字列があった際に、その旨を表示し、前記入力手段は、前記表示後、マーキングされていない文字列について、前記差し替えを実施するか否かを選択可能とすることを特徴とする。
【００１４】
請求項４に記載の発明は、請求項３に記載の画像処理複合機において、前記レイアウト補正は、専用フォーマットを用いる処理と、差し替え実行部分に、色分けを施す処理と、前記入力手段で前記レイアウト補正の対象範囲を指定した編集内容を実行する処理と、差し替え実行部分および差し替え内容についてリスト化し、差し替え結果レポートを作成する処理とを含むことを特徴とする。
【発明の効果】
【００１５】
本発明によれば、マーク文字列および差し替え文字列の差し替えと、原稿画像全体のレイアウト補正とを同時に行い、差し替え先の文章によらず、利用者が所望の画像を得られる画像処理複合機を提供可能とする。
【発明を実施するための最良の形態】
【００１６】
本発明に係る画像処理複合機の第１の態様は、以下の特徴を有する。
原稿を読み取って電子化する読取手段と、電子化された画像データを印刷する印刷手段と、前記画像データから文字を認識するための文字認識手段と、マーキングされた範囲を特定する検出手段と、マーク文字列および差し替え文字列の差し替えと、原稿画像全体のレイアウト補正とを同時に行う再構成制御手段とを有する。
上記構成によれば、差し替え後の文章の文字サイズと、画像全体での文字サイズとが相違するといった場合でも、差し替えの実行と、原稿画像全体のレイアウト補正とを同時に行いながら画像を処理することで、ユーザの所望な画像が得られる。
【００１７】
本発明に係る画像処理複合機の第２の態様は、以下の特徴を有する。
前記レイアウト補正は、余白部分を前詰めして余白の無い状態にする処理と、上書き部分の文字を後ろにずらす処理と、改ページして複数枚に分割する処理と、原稿上の文字全ての文字サイズを縮小する処理とを含む。
上記構成によれば、不自然な空白ができてしまうというおそれがなくなる。
また、マーク文字列の文字数＜差し替え文字列の文字数だった場合に、差し替え後発生する上書き部分の文字を後ろにずらして、上書きが発生しない状態にとすることが可能である。
また、原稿上の文字数が増えてしまい、元の文字サイズでは、印刷用紙一枚に収まりきらないといった状態がなくなる。
さらに、文字列差し替え後、原稿上の文字数が増えてしまい、元の文字サイズでは、印刷用紙一枚に収まりきらないといった状態がなくなる。
【００１８】
本発明に係る画像処理複合機の第３の態様は、以下の特徴を有する。
検出した前記マーク文字列の範囲の表示および前記再構成制御手段で編集を実行する内容を確認表示する表示手段と、前記表示手段は、前記マーク文字列と同一文字列でマーキングされていない文字列があった際に、その旨を表示し、前記入力手段は、前記表示後、マーキングされていない文字列について、前記差し替えを実施するか否かを選択可能とする。
上記構成によれば、マークによって指定したマーク文字列と同じ文字列が他にもあった場合、その箇所を差し替え後の出力結果のなかに下線を用いて通知し、この下線とマークを同じものにして、この出力結果を再度読み取らせることで、同じ文字列を確認しながら連続的に差し替えることができる。
また、マークによって指定したマーク文字列と同じ文字列が他にもあった場合、その箇所についても差し替えを実施することで、マーク文字列と同じ文字列を一括して差し替えることができる。
【００１９】
本発明に係る画像処理複合機の第４の態様は、以下の特徴を有する。
前記レイアウト補正は、専用フォーマットを用いる処理と、差し替え実行部分に、色分けを施す処理と、前記入力手段で前記レイアウト補正の対象範囲を指定した編集内容を実行する処理と、差し替え実行部分および差し替え内容についてリスト化し、差し替え結果レポートを作成する処理とを含む。
上記構成によれば、文字列差し替え時に、再構成対象範囲を指定可能とすることで、ユーザの指定どおりに画像構成することが可能である。
また、文字列差し替え時に、再構成レイアウトを指定可能とすることで、ユーザの指定どおりに画像構成することが可能である。
また、差し替え指示内容を記入するための、専用のフォーマットを印刷出力可能で、そのフォーマットに従って、差し替え指示内容記入し、差し替え対象の元原稿を読み取ったあとに、記入ずみのフォーマットを読み取ることによって、利便性が高い。
【００２０】
上記態様を有する画像処理複合機の好適な構成について次に説明する。なお、次に説明する構成は、本発明を実現するのにあたって好適な一例であって、これに限定されることはなく、趣旨を逸脱しない範囲内において、また、当業者が容易に発想できる範囲内において、変形可能とする。
【００２１】
本発明に係る画像処理複合機について図１を説明する。
図１は、本発明に係る画像処理複合機の構成の一例を示すブロック図である。
【００２２】
図１に示すように、画像処理複合機１は、読取制御部２と、メモリ３と、マーク識別部４と、印刷制御部５と、ＯＣＲ制御部６と、再構成制御部７とを有する。
【００２３】
読取手段としての読取制御部２は、紙原稿を読み取って電子化する。
【００２４】
メモリ３は、読取制御部２で読み取られ、電子化された画像を保存する。
【００２５】
印刷手段としての印刷制御部５は、メモリ３に蓄積された、または読取制御部２で読み取られ電子化された画像の印刷を行う。
【００２６】
文字認識手段としてのＯＣＲ制御部６は、電子化された画像から文字列を識別する。
【００２７】
検出手段としてのマーク識別部４は、電子化された画像からマークを識別する。
【００２８】
再構成制御手段としての再構成制御部７は、電子化された画像からレイアウトを再構成する。
【００２９】
表示手段としての表示制御部８は、マーク識別部４で検出したマーク文字列の範囲の表示および再構成制御部で編集を実行する内容を確認表示する。
【００３０】
入力手段としての入力制御部９は、利用者により、差し替え文字列の編集可能な構成である。
【００３１】
表示制御部８および入力制御部９において、所望の差し替え処理をユーザが選択して編集することにより実現可能とする。所望の差し替え処理は、以下の実施例に値する。
【００３２】
本発明に係る画像処理複合機の構成によれば、編集したい紙原稿の電子文書が無い場合であっても、その紙原稿に編集したい箇所をマーキングすることによって、ユーザが所望するレイアウトで紙原稿を編集することができる。
【実施例１】
【００３３】
上述した画像処理複合機の構成において、好適に実施を行う実施例を以下に説明する。
以下に示す実施例は、本発明に係る画像処理複合機を好適に実施する例である。
以下に示す用語は、その要旨を逸脱しない範囲内において当業者が修正や代用を行い、種々の変更を施し、構築することを可能とする。
【００３４】
本実施例に係る画像処理復号機において、処理について図１、図２を用いて説明する。
図２は、本実施例に係る画像処理複合機における、第１の処理を示す。
【００３５】
図２に次の処理を表示したものを示す。ユーザは、予め紙原稿に編集したい箇所をマーキングしておき、それを画像処理複合機（以下複合機）１に読み取らせる。
【００３６】
複合機１は、読み取った紙原稿を読取制御部２において電子化し、電子化した原稿の画像情報をメモリ３に蓄積する。
【００３７】
さらに、ＯＣＲ制御部６は、電子化された原稿の画像情報から文字列を識別する。このとき、同時に１行の文字数と１ページの行数を計算し、記憶する。
【００３８】
一方、マーク識別部４は、電子化された原稿の画像情報からマークの位置、範囲を検出する。
【００３９】
ＯＣＲ制御部６で識別した文字列の情報と、マーク識別部４で検出したマークの位置、範囲情報との結果から、マーク箇所の文字列が特定される。
【００４０】
次に、ユーザは、差し替えたい文字列を書いた差し替え指定原稿を複合機１に読み取らせる。
【００４１】
複合機１は、差し替えたい文字列を書いた差し替え指定原稿を読取制御部２において電子化し、メモリ３に蓄積する。
【００４２】
さらにＯＣＲ制御部６は、電子化された画像から、差し替え文字列を識別する。
【００４３】
次に、再構成制御部７は、マーク文字列を差し替え文字列で置き換える。
【００４４】
このとき、単純な置き換えをしてしまうと、両者の文字数の大小関係によっては、置き換え後の文書全体のレイアウトがユーザの所望するレイアウトと異なる場合がある。
【００４５】
再構成制御部７は、予めユーザが所望するレイアウトとなるように、レイアウト補正を同時に行いながら、置き換えた結果をメモリ３に蓄積する。
【００４６】
印刷制御部５は、それを印刷出力することで、ユーザは、紙原稿から編集された所望の出力結果を得ることができる。
【実施例２】
【００４７】
本発明に係る画像処理複合機について好適に実施を行う第２の実施例について説明する。
まず、本実施例に係る画像処理複合機における第２の処理を図１、図３を用いて説明する。
図３は、本実施例に係る画像処理複合機における第２の処理を示す。
【００４８】
第１の実施例において、差し替え文字列の文字数がマーク文字列より少ない場合、不自然な余白が出来てしまう。
【００４９】
図３に示すように、紙原稿にマーキングされているマーク文字列が、差し替え原稿の文字列より少ないので、差し替え時に余白が生じる。
【００５０】
こうした場合、再構成制御部７は、後端の余白を詰めてレイアウト補正を行う。
【００５１】
具体的には、再構成制御部７は、実施例１で述べた方法により、差し替え実行時に、原稿画像全体にレイアウト補正を行う。
【００５２】
その際に、余白部分を前詰めして余白の無い状態にするように原稿画像全体にレイアウト補正を行う。
【００５３】
本処理によれば、不自然な余白を防ぐことが可能となる。
【００５４】
本実施例に係る画像処理複合機について好適に行う第３の処理について図１、図４を用いて説明する。
図４は、本実施例に係る画像処理複合機における、第３の処理を示す。
【００５５】
第１の実施例において、差し替え文字列の文字数がマーク文字列より多い場合、差し替え文字列の後端が原稿の元の文字列に重なってしまい、上書きされてしまう。
【００５６】
図４に示すように、こうした場合、再構成制御部７は上書きされないように元の文字列を後ろにずらしてレイアウト補正を行う。画像構成後、印刷制御部５は、印刷出力を行なう。
【００５７】
こうした場合、再構成制御部７は上書きされないように元の文字列を後ろにずらして原稿画像全体のレイアウト補正を行なう。画像構成後、印刷制御部５は、印刷出力を行なう。
【００５８】
本処理によれば、差し替え文字列の後端が原稿の元の文字列に重なってしまい、上書きされてしまうことを防ぐことが可能となる。
【００５９】
本実施例に係る画像処理複合機について好適に行う第４の処理について図１、図５を用いて説明する。
図５は、本実施例に係る画像処理複合機における、第４の処理を示す。
【００６０】
第１の実施例において、差し替え文字列の文字数が０の場合、マーク文字列を削除したときの余白が出来てしまう。
【００６１】
図５に示すように、差し替え原稿の文字列の文字数が０の場合である。
【００６２】
こうした場合、再構成制御部７は、差し替え実行時に余白を詰めてレイアウト補正を行い、印刷制御部５は、印刷出力を行なう。
【００６３】
本処理によれば、不自然な余白を防ぐことが可能となる。
【００６４】
本実施例に係る画像処理複合機について好適に行う第５の実施例について図１、図６を用いて説明する。
図６は、本実施例に係る画像処理複合機における、第５の処理を示す。
【００６５】
第１の実施例において、差し替え文字列の文字数が多く、ＯＣＲ制御部で計算した１行文字数と１ページ行数では印刷用紙一枚におさまりきらない場合がある。
【００６６】
図６に示すように、差し替え原稿において、差し替え文字列の文字数が多い場合である。
【００６７】
こうした場合、再構成制御部７は、差し替え実行時に複数枚に分割してレイアウト補正を行い、印刷制御部５は、印刷出力を行なう。
【００６８】
本処理によれば、印刷用紙一枚におさまりきらないという事態を防止することが可能である。
【００６９】
本実施例に係る画像処理複合機について好適に行う第６の処理について図１、図７を用いて説明する。
図７は、本実施例に係る画像処理複合機における、第６の処理を示す。
【００７０】
第１の実施例において、差し替え文字列の文字数が多く、ＯＣＲ制御部で計算した１行文字数と１ページ行数では印刷用紙一枚におさまりきらない場合がある。
【００７１】
図７に示すように、差し替え原稿において、差し替え文字列の文字数が多い場合である。
【００７２】
こうした場合、再構成制御部７は、差し替え実行時に一枚におさまるように縮小してレイアウト補正を行う。その後、印刷制御部５は、印刷出力を行なう。
【００７３】
本処理によれば、印刷用紙一枚におさまりきらないという事態を防止することが可能である。
【００７４】
本実施例に係る画像処理複合機について好適に行う第７の処理について図１、図８を用いて説明する。
図８は、本実施例に係る画像処理複合機における、第７の処理を示す。
【００７５】
第１の実施例において、差し替え文字列の文字数が多く、ＯＣＲ制御部で計算した１行文字数と１ページ行数では印刷用紙一枚におさまりきらない場合がある。
【００７６】
図８に示すように、差し替え原稿において、差し替え文字列の文字数が多い場合である。
【００７７】
こうした場合、再構成制御部７は、差し替え実行時に予め指定した改ページ位置（本処理では２本スラッシュを使用）で改ページし、複数枚に分割してレイアウト補正を行い、印刷制御部５で印刷出力する。
【００７８】
本処理によれば、印刷用紙一枚におさまりきらないという事態を防止することが可能である。
【実施例３】
【００７９】
本発明に係る画像処理複合機について好適に実施を行う第３の実施例について説明する。
【００８０】
まず、本実施例に係る画像処理複合機について好適に行う第８の処理について図１、図９を用いて説明する。
図９は、本実施例に係る画像処理複合機における、第８の処理を示す。
【００８１】
第１の実施例において、差し替え後のレイアウト再構成をある特定の範囲に限って実施したい場合がある。
【００８２】
たとえば、差し替え後の文字列を全て数珠繋ぎにせず、ある段落の区切りで改行したい場合などがそれにあたる。
【００８３】
こうした場合、予め指定した範囲（本処理では鍵括弧を使用）に対して、再構成制御部７は、その範囲のレイアウトのみを再構成する。
【００８４】
その後、印刷制御部５は、印刷出力を行なう。
【００８５】
本処理によれば、差し替え後のレイアウト再構成をある特定の範囲に限って実施したい場合に利用者の所望の画像を得ることが可能となる。
【００８６】
本実施例に係る画像処理複合機について好適に行う第９の処理について図１、図１０を用いて説明する。
図１０は、本実施例に係る画像処理複合機における、第９の処理を示す。
【００８７】
図１０のように部分的にインデントされた文章が書かれた紙原稿の場合、再構成の対象範囲を限定しただけでは差し替え後のレイアウトが所望どおりに再現されない場合がある。
【００８８】
こうした場合、再現すべきインデントの箇所を予め指定しておき（本処理では縦線を使用）、再構成制御部７は、その部分に先頭を揃えて再構成する。
【００８９】
その後、印刷制御部５は、印刷出力を行なう。
【００９０】
本処理によれば、部分的にインデントされた文章が書かれた紙原稿の場合でも、所望のレイアウトが再現される。
【００９１】
まず、本実施例に係る画像処理複合機について好適に行う第１０の処理について図１、図１１を用いて説明する。
図１１は、本実施例に係る画像処理複合機における、第１０の処理を示す。
【００９２】
ユーザはまず、差し替え内容を指定するための専用フォーマットを複合機から印刷する。図１１に専用フォーマットを示す。
【００９３】
ユーザは、フォーマットにしたがって差し替え文字列を記入し、対応したマークを紙原稿にマーキングする。
【００９４】
また、１枚に収まらない場合にページ分割するか否かも記入する。
【００９５】
この紙原稿と、記入済み専用フォーマットとを読取制御部２に読み取らせる。
【００９６】
図１１の左下に示すようなマーク文字列と、差し替え文字列とが重なってしまう事態を防止するために、再構成制御部７は、差し替え実行時に、原稿画像全体をレイアウト補正しながら、ユーザが専用フォーマットで記入した差し替えを実行する。
【００９７】
その後、印刷制御部５は、印刷出力を行なう。
【００９８】
本処理によれば、専用フォーマットを用いることで、マークと差し替え文字列の対応関係の一覧性がよくなる。
【実施例４】
【００９９】
本発明に係る画像処理複合機について好適に実施を行う第４の実施例について説明する。
【０１００】
本実施例に係る画像処理複合機について好適に行う第１１の処理について図１、図１２を用いて説明する。
図１２は、本実施例に係る画像処理複合機における、第１１の処理を示す。
【０１０１】
実施例１において、マークによって指定したマーク文字列と同じ文字列が他にもあった場合、その箇所を差し替え後の出力結果のなかに下線を用いてユーザに通知する。通知は、表示制御部８に表示することで行なう。
【０１０２】
図１２に示すように、ユーザに指定したマーク文字列と同じ文字列が他にもあったことを通知する。
【０１０３】
他にもあった同じ文字列を、この下線とマークを同じものにして、出力結果を再度読み取らせることで、同じ文字列を確認しながら連続的に差し替えることができる。
【０１０４】
本処理によれば、同じ文字列を確認しながら連続的に差し替えることを可能とする。
【０１０５】
本実施例に係る画像処理複合機について好適に行う第１２の処理について図１、図１３を用いて説明する。
図１３は、本実施例に係る画像処理複合機における、第１２の処理を示す。
【０１０６】
実施例１において、マークによって指定したマーク文字列と同じ文字列が他にもあった場合、その箇所についても差し替えを実施する。
【０１０７】
表示制御部８に表示することで、ユーザに通知を行い、入力制御部９で他のマークについても差し替えを行うか否かの選択を行う。複数ある場合は、複数選択を行う。
【０１０８】
複数箇所の選択後、再構成制御部７は、差し替え内容を実行して連続的に差し替えを行う。
【０１０９】
図１３に示す処理は、実施例１２の処理で連続的に差し替える処理を実行した様子を示す。
【０１１０】
第１２の差し替え処理では、指定したマーク文字列と同じ文字列が他にもあった場合、ユーザに通知した。本実施例では、通知後に連続的に差し替える処理を実行し、実行後、印刷制御部５は、印刷出力を行なう。
【０１１１】
本処理によれば、マーク文字列と同じ文字列を一括して差し替えることができる。
【０１１２】
本実施例に係る画像処理複合機について好適に行う第１３の処理について図１、図１４を用いて説明する。
図１４は、本実施例に係る画像処理複合機における、第１３の処理を示す。
【０１１３】
図１４に示す処理は、差し替え結果を印刷出力する際に、差し替えた文字列をマークと同じ色で色分けを行う。
【０１１４】
ユーザは、表示制御部８と、入力制御部９を使用し、差し替えた文字列をマークと同じ色で色分けを行うように画像出力を行いたい場合に、再構成制御部７は、これを満足するようにレイアウトを行う。その後、印刷制御部５は、印刷出力を行なう。
【０１１５】
本処理によれば、差し替えた部分を容易に判別することができる。
【０１１６】
本実施例に係る画像処理複合機について好適に行う第１４の処理について図１、図１４を用いて説明する。
図１５は、本実施例に係る画像処理複合機における、第１４の処理を示す。
【０１１７】
上述した様々なレイアウト処理があるが、本処理では、そのレイアウト結果、差し替え内容の結果をユーザにレポートとして通知する。その様子を図１５に示す。
【０１１８】
差し替え結果とは別に、差し替えた内容を記載したレポートを印刷制御部５で印刷出力する。
【０１１９】
本処理によれば、差し替え実施内容を効率的に確認することができる。
【図面の簡単な説明】
【０１２０】
【図１】本発明に係る画像処理複合機の構成の一例を示す図である。
【図２】本発明に係る画像処理複合機の第１の差し替え処理を示す図である。
【図３】本発明に係る画像処理複合機の第２の差し替え処理を示す図である。
【図４】本発明に係る画像処理複合機の第３の差し替え処理を示す図である。
【図５】本発明に係る画像処理複合機の第４の差し替え処理を示す図である。
【図６】本発明に係る画像処理複合機の第５の差し替え処理を示す図である。
【図７】本発明に係る画像処理複合機の第６の差し替え処理を示す図である。
【図８】本発明に係る画像処理複合機の第７の差し替え処理を示す図である。
【図９】本発明に係る画像処理複合機の第８の差し替え処理を示す図である。
【図１０】本発明に係る画像処理複合機の第９の差し替え処理を示す図である。
【図１１】本発明に係る画像処理複合機の第１０の差し替え処理を示す図である。
【図１２】本発明に係る画像処理複合機の第１１の差し替え処理を示す図である。
【図１３】本発明に係る画像処理複合機の第１２の差し替え処理を示す図である。
【図１４】本発明に係る画像処理複合機の第１３の差し替え処理を示す図である。
【図１５】本発明に係る画像処理複合機の第１４の差し替え処理を示す図である。
【符号の説明】
【０１２１】
１    画像処理複合機
２    読取制御部（読取手段）
３    メモリ
４    マーク識別部（検出手段）
５    印刷制御部（印刷手段）
６    ＯＣＲ制御部（文字認識手段）
７    再構成制御部（再構成制御手段）
８    表示制御部（表示手段）
９    入力制御部（入力手段）
【図１】
2009017041.tif 000003
【図２】
2009017041.tif 000004
【図３】
2009017041.tif 000005
【図４】
2009017041.tif 000006
【図５】
2009017041.tif 000007
【図６】
2009017041.tif 000008
【図７】
2009017041.tif 000009
【図８】
2009017041.tif 000010
【図９】
2009017041.tif 000011
【図１０】
2009017041.tif 000012
【図１１】
2009017041.tif 000013
【図１２】
2009017041.tif 000014
【図１３】
2009017041.tif 000015
【図１４】
2009017041.tif 000016
【図１５】
2009017041.tif 000017